(57)【特許請求の範囲】
【請求項１】
横梁となるパイプを保持するクランプを有する柱をプラットホームの端縁に取付け可能の安全誘導ポールであって、
中空の所定長さを有する主柱と、
前記主柱の下端部に一端側が固定され、他端側がＶ字状に広がる第１の足部材を有し、前記第１の足部材がプラットホームの端縁の上面側に対応づけられる上側支持部材と、
前記主柱の中空内に一部分が挿入固定される副柱と、
一端側が、前記副柱に対応づけられ、他端側がＶ字状に広がる第２の足部材を有し、前記第２の足部材が前記プラットホームの端縁の下面側に対応づけられる下側支持部材を有し、
前記下側支持部材は、前記Ｖ字状に広がる第２の足部材に前記プラットホームの端縁の下面側に当接する少なくとも左右一対の突起を有する、
ことを特徴とする安全誘導ポール。
【請求項２】
請求項１において、
前記第１の足部材には、前記プラットホームの端縁の上面側に当接するゴム足を有する、ことを特徴とする安全誘導ポール。
【請求項３】
請求項１において、
前記主柱及び副柱は、断面４角形を成し、
前記下側支持部材は、前記断面４角形に対応し、前記副柱が貫通する開口を有する板バネと、
前記板バネを付勢して、前記副柱に係止するスプリングを有する、
ことを特徴とする安全誘導ポール。
【請求項４】
請求項１において、
前記副柱の前記主柱に挿入される上端部にネジ穴を有し、
一方端に回転ノブを有し、前記主柱の上端から挿入され、前記副柱の上端部のネジ穴と係合するネジ部を他端側に有する調整棒を有し、
前記調整棒の回転ノブを回転して、前記副柱の上端部のネジ穴と前記他端側のネジ部との係合の度合いにより、前記下側支持部材の前記第２の足部材を前記プラットホームの下面側に当接する度合いが調整される、
ことを特徴とする安全誘導ポール。
【請求項５】
請求項１において、
前記下側支持部材に関し、前記プラットホームの端縁の奥行きの長さに対応して、前記第２の足部材のＶ字状に広がる長さが異なる下側支持部材が使用される、
ことを特徴とする安全誘導ポール。
【請求項６】
請求項３において、
前記副柱は、二重構造であり、内側は前記主柱の材質と同じ金属であり、外側は、前記板バネとの係合がより大きい前記主柱の材質の金属と異なる金属である、
ことを特徴とする安全誘導ポール。
【請求項７】
請求項１乃至６のいずれか１項において、
前記副柱は、所定の長さを有し、
前記所定の長さは、一端側に前記副柱と連結する連結部材を有する補助副柱により、延長される、
ことを特徴とする安全誘導ポール。
【請求項８】
横梁となるパイプを保持するクランプを有する柱をプラットホームの端縁に取付け可能の安全誘導ポールのコンテナであって、
キャスターを有する台板と、
前記台板上に形成され、複数の安全誘導ポールを区分して固定する枠体を有し、
前記複数の安全誘導ポールのそれぞれは、
中空の所定長さを有する主柱と、
前記主柱の下端部に一端側が固定され、他端側がＶ字状に広がる第１の足部材を有し、前記第１の足部材がプラットホームの端縁の上面側に対応づけられる上側支持部材と、
前記主柱の中空内に一部分が挿入固定される副柱と、
一端側が、前記副柱に対応づけられ、他端側がＶ字状に広がる第２の足部材を有し、前記第２の足部材が前記プラットホームの端縁の下面側に対応づけられる下側支持部材を有し、
前記下側支持部材は、前記Ｖ字状に広がる第２の足部材に前記プラットホームの端縁の下面側に当接する少なくとも左右一対の突起を有し、
前記枠体は、前記主柱を固定するロックレバーを有する、
ことを特徴とする安全誘導ポールのコンテナ。
【発明の詳細な説明】
【技術分野】
【０００１】
本発明は、プラットホームにホームドアを敷設する工事等の際の作業員あるいは、機器の落下を防止するための、安全対策としてプラットホームの縁部に沿って設けられる仮設柵に用いる安全誘導ポール、及びその保管用コンテナに関する。
【背景技術】
【０００２】
近年、鉄道プラットホームにおける転落防止等の対策の一つとして、ホームドアを敷設することが増加している。
【０００３】
このホームドアは、プラットホームの先端縁即ち、レール側に近い位置に設置される。さらに、既設のプラットホームにホームドアを敷設する場合は、鉄道の運行を考慮して、夜間に行われる場合が多い。このような状況から工事中に、作業者がレール側に転落、あるいは、ホームドア機器自体を落下させてしまうという事故が想定される。
【０００４】
このような作業中の事故を防止するために、プラットホームの端縁に沿って複数のポールを所定間隔で立て、横方向に鉄パイプをクランプしてポール間を繋ぎ仮設柵を構築している。
【０００５】
このような仮設柵構造に用いるポールとして、図１に概念構造で示すような安全誘導ポールが用いられていた。
【０００６】
すなわち、図１は、従来例の安全誘導ポールの側面概念図である。所定の長さを有する支柱１の下端部に下側支持部材１０が固定されている。さらに、下側支持部材１０から所定高さ位置に上側支持部材１１が固定されている。上側支持部材１１には、高さ調整が可能な下向きのネジ係止部１２を有している。
【０００７】
プラットホーム２の端縁部にポールを立てる際は、下側支持部材１０をプラットホーム２の端縁部の下面側２０に対応づけ、上側支持部材１１のネジ係止部１２をプラットホーム２の端縁部の上面側２１に対応づける。そして、ネジ係止部１２のネジを回転締め付けして、上側支持部材１１と下側支持部材１０によるプラットホーム２の端縁部の把持の強さを調整するという構造である。
【０００８】
一方、既設のプラットホーム２の端縁部の構造は、種々であり、その厚さ、形態において、種々である。すなわち、図２は、その例であり、図２において、（１）の形態は、標準的なプラットホームの形状、厚さであり、これに対して、（２）の形態では奥行き方向が短い。（３）は、プラットホームの下側形状があご状に傾斜している。さらに、（４）の形態では、奥行き方向が短く、且つ端縁部の高さが大きい。
【０００９】
この様に、プラットホーム２の端縁部の奥行きＤ、及び高さＨが種々である。さらに、図２(３)に示す様に、端縁部の下側構造は、平坦ではなく「あご状」になっている形態もある。
【先行技術文献】
【特許文献】
【００１０】
【特許文献１】特開平６−６９１４号公報
【特許文献２】特開平６−４９８１７号公報
【特許文献３】特開平７−３７３４号公報
【特許文献４】特開２００１−３５７４号公報
【特許文献５】特開２０１３−１４７８７７号公報
【特許文献６】特開２０１４−８４５７０号公報
【発明の概要】
【発明が解決しようとする課題】
【００１１】
上記の様に、従来の安全誘導ポールにあっては、上側支持部材１１のネジ係止部１２の高さを調節してその先端部が、プラットホーム２の端縁部の上面側２１に当接して、プラットホーム２の端縁部の厚さに対応させ、上側支持部材１１のネジ係止部１２と下側支持部材１０のそれぞれ１点で固定する構造である。
【００１２】
したがって、プラットホーム２の端縁部の厚みの許容変動範囲は、ネジ係止部１２の高さ調整の範囲内である。
【００１３】
一方、図２にプラットホームの端縁部の断面を示したように種々のプラットホームの形状、厚さがあり、上記従来構造では、これら種々のプラットホームの形状、厚さに対応することが困難である。
【００１４】
また、上側支持部材１１のネジ係止部１２と下側支持部材１０のそれぞれ１点での固定のため横揺れが生じ易い。
【００１５】
さらに、ネジ係止部１２の高さ調整は、工具を用いてネジを回転固定することが必要である等の不都合を有している。
【００１６】
かかる諸点の不都合に鑑みて、本発明の目的は、種々のプラットホームの形状、厚さに対応が可能であり、横揺れを生じさせない構造を有し、且つ特別の工具を必要とせずに容易に組立が可能な安全誘導ポールを提供することにある。
【００１７】
また、本発明は、かかる安全誘導ポールを容易に多数運搬可能な保管用コンテナを提供する。
【課題を解決するための手段】
【００１８】
上記目的を達成する安全誘導ポールは、第１の側面として、横梁となるパイプを保持するクランプを有する柱をプラットホームの端縁に取付け可能の安全誘導ポールであって、中空の所定長さを有する主柱と、前記主柱の下端部に一端側が固定され、他端側がＶ字状に広がる第１の足部材を有し、前記第１の足部材がプラットホームの端縁の上面側に対応づけられる上側支持部材と、前記主柱の中空内に一部分が挿入固定される副柱と、一端側が、前記副柱に対応づけられ、他端側がＶ字状に広がる第２の足部材を有し、前記第２の足部材が前記プラットホームの端縁の下面側に対応づけられる下側支持部材を有し、前記下側支持部材は、前記Ｖ字状に広がる第２の足部材に前記プラットホームの端縁の下面側に当接する少なくとも左右一対の突起を有することを特徴とする。
【００１９】
上記目的を達成する安全誘導ポールは、前記第１の側面において、前記第１の足部材には、前記プラットホームの端縁の上面側に当接するゴム足を有することを特徴とする。
【００２０】
また、上記目的を達成する安全誘導ポールは、前記第１の側面において、前記主柱及び副柱は、断面４角形を成し、前記下側支持部材は、前記断面４角形に対応し、前記副柱が貫通する開口を有する板バネと、前記板バネを付勢して、前記副柱に係止するスプリングを有することを特徴とする。
【００２１】
さらに、上記目的を達成する安全誘導ポールは、前記第１の側面において、前記副柱の前記主柱に挿入される上端部にネジ穴を有し、一方端に回転ノブを有し、前記主柱の上端から挿入され、前記副柱の上端部のネジ穴と係合するネジ部を他端側に有する調整棒を有し、前記調整棒の回転ノブを回転して、前記副柱の上端部のネジ穴と前記他端側のネジ部との係合の度合いにより、前記下側支持部材の前記第２の足部材を前記プラットホームの下面側に当接する度合いが調整されることを特徴とする。
【００２２】
さらにまた、上記目的を達成する安全誘導ポールは、前記第１の側面において、前記下側支持部材に関し、前記プラットホームの端縁の奥行きの長さに対応して、前記第２の足部材のＶ字状に広がる長さが異なる下側支持部材が使用されることを特徴とする。
【００２３】
さらにまた、上記目的を達成する安全誘導ポールは、前記第１の側面において、前記副柱は、二重構造であり、内側は前記主柱の材質と同じ金属であり、外側は、前記板バネとの係合がより大きい前記主柱の材質の金属と異なる金属であることを特徴とする。
【００２４】
さらに、上記目的を達成する安全誘導ポールは、前記第１の側面において、前記副柱は、所定の長さを有し、前記所定の長さは、一端側に前記副柱と連結する連結部材を有する補助副柱により、延長されることを特徴とする。
【００２５】
また、上記目的を達成する安全誘導ポールのコンテナは、横梁となるパイプを保持するクランプを有する柱をプラットホームの端縁に取付け可能の安全誘導ポールのコンテナであって、キャスターを有する台板と、前記台板上に形成され、複数の安全誘導ポールを区分して固定する枠体を有し、前記複数の安全誘導ポールのそれぞれは、中空の所定長さを有する主柱と、前記主柱の下端部に一端側が固定され、他端側がＶ字状に広がる第１の足部材を有し、前記第１の足部材がプラットホームの端縁の上面側に対応づけられる上側支持部材と、前記主柱の中空内に一部分が挿入固定される副柱と、一端側が、前記副柱に対応づけられ、他端側がＶ字状に広がる第２の足部材を有し、前記第２の足部材が前記プラットホームの端縁の下面側に対応づけられる下側支持部材を有し、前記下側支持部材は、前記Ｖ字状に広がる第２の足部材に前記プラットホームの端縁の下面側に当接する少なくとも左右一対の突起を有し、前記枠体は、前記主柱を固定するコックレバーを有することを特徴とする。
【図面の簡単な説明】
【００２６】
【図１】従来例の安全誘導ポールの側面概念図である。
【図２】既設のプラットホームの端縁部の構造例を示す図である。
【図３】本発明に従う安全誘導ポールの側面概念図である。
【図４】本発明に従う安全誘導ポールを、プラットホームの厚さの異なる端縁部に沿って複数個設置された状態を示す概念図である。
【図５】安全誘導ポールの正面図を示す図である。
【図６】図５に示す正面図に対応する本発明に従う安全誘導ポールの側面図である。
【図７】図５に示す正面図に対応する本発明に従う安全誘導ポールの背面図である。
【図８】下側支持部材を拡大して示す図である。
【図９】図３の下部に示したプラットホームの端縁が短い奥行きの場合に使用される、短い下側支持部材の構造を示す図である。
【図１０】副柱の長さを補う補助副柱の構成例を示す図である。
【図１１】本発明に従う安全誘導ポールの使用について説明する図である。
【図１２】本発明に従う安全誘導ポールを保管運搬するためのコンテナ構造を示す図である。
【図１３】図１２に示すコンテナに複数の安全誘導ポールを積載した状態を示す図である。
【発明を実施するための形態】
【００２７】
以下に図面を参照して、本発明の実施例を説明する。なお、実施例は、本発明の理解のためのものであり、本発明の保護の範囲は、かかる実施例に限定されるものではなく、特許請求の範囲に記載の物及びその均等物にも及ぶ。
【００２８】
図３は、本発明に従う安全誘導ポールの側面概念図である。本発明の特徴として、所定長さの主柱１Ａと、主柱１Ａ内に一部が挿入される副柱１Ｂを有する。
【００２９】
特徴として更に、主柱１Ａの下端部に上側支持部材１１が固定され、副柱１Ｂに上下にスライド移動可能の下側支持部材１０が設けられる。
【００３０】
さらに、上側支持部材１１及び下側支持部材１０のそれぞれは、一端が主柱１Ａ、副柱１Ｂに対応し、Ｖ字に広がる一対の形態を成して、横方向の揺れを防ぐことができる。
【００３１】
下側支持部材１０は、後に詳細を説明するように、副柱１Ｂを貫通する角穴を有する２枚の板状バネ１３で、副柱１Ｂに固定される。したがって、板状バネ１３を狭めることにより、下側支持部材１０の副柱１Ｂとの係止状態が解除されて、下側支持部材１０を副柱１Ｂの上下方向に沿って容易にスライド移動可能である（図３（２））。
【００３２】
したがって、かかる本発明に従う安全誘導ポールは、およそ主柱１Ａの下部側に延びた副柱１Ｂの長さの範囲で、プラットホームの厚さに対応することが可能であり、図３（１）に示す様に、下側支持部材１０と上側支持部材１１とで、プラットホーム２の端縁を挟んで主柱１Ａを支持することができる。
【００３３】
図３において、更にクランプ３は、横梁となる鉄パイプを支持するクランプ部材であり、上下に２個ずつ備えられている。
【００３４】
図４は、本発明に従う安全誘導ポールを、プラットホーム２の厚さの異なる端縁部２Ａ，２Ｂに沿って複数個設置された状態を示す概念図である。
【００３５】
下側支持部材１０が、副柱１Ｂをスライド可能であるので、厚さの異なるプラットホームの端縁部２Ａ，２Ｂに容易に取り付け可能であり、全体の高さは、主柱１の長さで一定となる。したがって、柵となる鉄パイプ５を保持するクランプ３の高さ位置も一定であり、横方向に同じ高さで鉄パイプ５を保持することが可能である。
【００３６】
ここで、先に図２に示したプラットホーム２の端縁部が、その奥行き方向に短い場合（図２(２)、（４））は、図３(２)の下部に示す奥行きの短い下側支持部材１０Ａに代えることにより容易に対応が可能である。
【００３７】
図５〜図７は、更に本発明に従う安全誘導ポールの実施例構成の詳細を説明する図である。図５は、安全誘導ポールの正面図を示す。図６，図７は、それぞれ図５に示す正面図に対応する本発明に従う安全誘導ポールの側面図及び背面図である。
【００３８】
図５〜図７において、主柱１Ａは、断面４角形を成す、中空形状を成している。実施例として、強度を考慮して主柱１Ａの材質はステンレスである。理解容易の様に図では内部を透視可能に示している。
【００３９】
副柱１Ｂは、強度を保つために内側をステンレス、下側支持部材１０の保持を確実にするべく、外側をアルミ材で形成した二重構造を有している。さらに、その断面は主柱１Ａに挿入可能に４角形を成している。
【００４０】
副柱１Ｂの主柱１Ａに挿入された部分の先端にネジ穴１Ｂ０を有している。上端部に回転ノブ４を有し、下端部にネジ部を有するネジ棒４Ａが、主柱１Ａの先端から内側に挿入され、ネジ棒４Ａのネジ部が前記副柱１Ｂの先端のネジ穴１Ｂ０に係合して、副柱１Ｂを支持する。
【００４１】
一方、上側支持部材１１は、主柱１Ａの下端部に一端が固定され、それぞれ斜め（Ｖ字）方向に長さ方向を有する一対の足部材を有し、一対の足部材のそれぞれに、実施例として２個のゴム足部１１Ａを有する。
【００４２】
図８は、下側支持部材１０を拡大して示す図であり、図８(１)がその上面図であり、図８（２）が側面図である。
【００４３】
副柱１Ｂの断面に対応して挿入される四角部材１０Ａに一端が固定され、それぞれ斜め（Ｖ字）方向に長さ方向を有する一対の足部材１００を有し、一対の足部材１００のそれぞれに、実施例として２個の突起部１０１を有する。  
【００４４】
さらに、板状バネ１３が足部材１００に有し、板状バネ１３は、板材であって四角部材１０Ａの開口より大きな開口を有し、一端が足部材１００に軸１３Ａにより軸支され、スプリング１４により開く方向に付勢されている。  
【００４５】
したがって、通常は、スプリング１４により板状バネ１３の開口が図８（２）に示すように斜め状態にされて、副柱１Ｂの表面に係止される。スプリング１４の付勢に抗して、板状バネ１３を平行にすると、副柱１Ｂとの係止が緩み、容易に上下にスライド可能で、上下位置を移動させることができる。
【００４６】
図９は、図３の下部に示したプラットホーム２の端縁が短い奥行きの場合に使用される、短い下側支持部材１０Ａの構造を示す図である。図９（１）は上面図、（２）は、側面図である。図８に示したとの相違は、足部材１００の長さが短い点であり、これに対応して、突起部１０１も左右の足部材１００にそれぞれ一個有する点が異なる。他の構造は図８に示した下側支持部材１０と同じである。
【００４７】
ここで上記した本発明に従う安全誘導ポールのプラットホーム２の端縁への取り付け手順について説明する。
【００４８】
主柱１Ａの下端の上側支持部材１１のゴム足１１Ａをプラットホーム２の端縁の上面に当接する。ついで、下側支持部材１０の板状バネ１３をスプリング１４の付勢に抗して平行にして副柱１Ｂとの係止を緩め上方向にスライドして、プラットホーム２の端縁の下面に当接する。これにより、安全誘導ポールをプラットホーム２の端縁に保持する状態とすることができる。さらに、より保持を確実にするために、回転ノブ４を廻し、従って、ネジ棒４Ａの下端部のネジ部により副柱１Ｂを引き上げる（図６参照）。これにより、下側支持部材１０も引きき上げられるので、プラットホーム２の端縁の下面側への突起１０１の食い込みが強固となる。これにより確実に安全誘導ポールのプラットホーム２の端縁への取り付けが可能である。
【００４９】
図１０は、図２（４）に示したようにプラットホーム２の端縁が高く、副柱１Ｂの長さでは対応仕切れない場合に使用され、副柱１Ｂの長さを補う補助副柱１Ｃの構成例を示す図である。
【００５０】
補助副柱１Ｃは、副柱１Ｂと同様の二重構造の角柱であり、連結部１Ｄの一方端に固定され、連結部１Ｄの他端側に副柱１Ｂの下端側が挿入される。そして、挿入された副柱１Ｂの下端側は、連結部１Ｄにネジ止め固定される。
【００５１】
これにより、副柱１Ｂの長さが、補助副柱１Ｃの長さ分延長され、図２（４）に示した様にプラットホーム２の端縁が高い場合に対しても、安全誘導ポールを取り付けることが可能である。
【００５２】
次に上記に詳述した本発明に従う安全誘導ポールの使用について図１１に基づき説明する。
【００５３】
図１１において、（１）は、図２（１）に対応する標準的な高さと奥行きを有するプラットホーム２の端縁に安全誘導ポールを取り付けた例を示す。下側支持部材１０の４つの突起１０１でプラットホーム２の端縁の下側に当接し、上側支持部材１１の４つのゴム足１１Ａでプラットホーム２の端縁の上側に当接して安全誘導ポールを固定することができる。
【００５４】
図１１（２）の例は、図２（３）に対応するプラットホーム２の端縁の下側が平坦でない場合で安全誘導ポールを取り付けた例を示す。この例では、プラットホーム２の端縁の上側は、上側支持部材１１の４つのゴム足１１Ａを当接することができる。一方、下側支持部材１０の４つの突起１０１の内の先端の２つの突起が、プラットホーム２の端縁の下側に当接する。かかる場合であっても、上側支持部材１１と下側支持部材１０でプラットホーム２の端縁を確実に挟み保持することができる。
【００５５】
図１１（３）の例は、プラットホーム２の端縁の高さが大きく、副柱１Ｂの長さでは対応できない場合の例である。この場合は、図１１で説明したように、補助副柱１Ｃを副柱１Ｂに継ぎ足すことによりプラットホーム２の端縁に安全誘導ポールを固定することができる。
【００５６】
図１１（４）に示す例は、図２（２）に対応し、プラットホーム２の端縁の奥行きが短い場合の例である。かかる場合は、下側支持部材１０を図３（２）及び図９に示した下側支持部材１０Ａに代えて対応することができる。
【００５７】
図１１（５）は、図２（４）に対応し、プラットホーム２の端縁の高さが大きく、且つ奥行きが短い場合の例である。かかる場合は、補助副柱１Ｃを用い、更に下側支持部材１０を下側支持部材１０Ａに代えて対応する。
【００５８】
上記に説明したように、本発明に従う安全誘導ポールは、容易に種々のプラットホーム２の端縁の形態に対応させることが容易であり、且つその取り付けには、工具を必要とせず、容易に手作業で、プラットホーム２に取り付けることが可能である。
【００５９】
ここで、プラットホーム２の端縁に仮設防護柵を設置する場合、前記した本発明に従う安全誘導ポールは、複数個が同時に使用され、仮設防護柵が解除されると、別の工事場所に移動して使用される。
【００６０】
かかる場合は、本発明に従う複数台の安全誘導ポールを、その都度１台ずつ移動運搬することは作業効率が悪い、特に車両の運行していない短時間内に所定の工事を行う場合には、不都合である。
【００６１】
したがって、以下に本発明に従う安全誘導ポールを複数台保管可能で、且つ運搬に容易なコンテナ構造を説明する。
【００６２】
図１２、１３は、その一構成例を示す図である。図１２において、（１）は正面図、（２）は上面図、（３）は側面図を示す。
【００６３】
キャスター２０１を四隅に有する台板２００に、枠組みが形成されてコンテナが構成される。枠組みは、Ｕ字状の成し、中央に縦枠２０３を有する左右側面側に設けられる側面枠２０２を有する。左右の縦枠２０３の上端位置同士と中間位置同士をそれぞれ繋ぐ横枠２０４、２０５を有する。
【００６４】
横枠２０４、２０５のそれぞれには、区分け棒２０４Ａ，２０５Ａを有している。区分け棒２０５Ａの先端にロックレバー２０６を有する。
【００６５】
図１３は、かかる図１２に示すコンテナに複数の安全誘導ポールを積載した状態を示す図であり、（１）が正面図、（２）が上面図である。
【００６６】
それぞれの安全誘導ポールが、区分け棒２０４Ａ，２０５Ａの間に位置づけられている。さらに、ロックレバー２０６を倒すことにより主柱１Ａを、区分け棒２０４Ａ，２０５Ａ内に固定することが可能である。したがって、複数の安全誘導ポールを１台のコンテナで容易に保管、移動することが可能である。
【産業上の利用可能性】
【００６７】
以上述べたように、本発明の構成により、簡易な構成により種々のプラットホーム２の端縁形状に対応することが可能な安全誘導ポールが提供される。
【符号の説明】
【００６８】
１Ａ  主柱
１Ｂ  副柱
２    プラットホーム
３    クランプ
４    回転ノブ
４Ａ  ネジ棒
１０、１０Ａ  下側支持部材
１１  上側支持部材
１１Ａ  ゴム足
１３  板状バネ
１３Ａ  軸
１４  スプリング
１００  足部材
１０１  突起
【図１】
0006373659.tif 000002
【図２】
0006373659.tif 000003
【図３】
0006373659.tif 000004
【図４】
0006373659.tif 000005
【図５】
0006373659.tif 000006
【図６】
0006373659.tif 000007
【図７】
0006373659.tif 000008
【図８】
0006373659.tif 000009
【図９】
0006373659.tif 000010
【図１０】
0006373659.tif 000011
【図１１】
0006373659.tif 000012
【図１２】
0006373659.tif 000013
【図１３】
0006373659.tif 000014